(57)【要約】  様々な装飾を容易に施すことができ、装着も容易で装着感にも優れた帯枕を提供することを課題とする。  人体の胴部（１０ａ）に巻き付けられる胴帯（１０）を有する衣服用帯（１）に用いられる帯枕（１００）であって、装飾を装着する装飾装着部（１４０）と、装飾装着部（１４０）を胴帯（１０）に固定する装飾固定部（１１０）と、を有する。装飾固定部（１１０）は、装飾装着部（１４０）よりも水平方向の幅が広く形成されており、板状に形成され、装飾装着部（１４０）は、装飾固定部（１１０）に連続しており、水平方向に延びて筒状に形成され、胴帯（１０）に固定したときに人体の外側を向く周方向の一部を切り欠いて形成される。
2018074385.tif 000002
【特許請求の範囲】
【請求項１】
人体の胴部に巻き付けられる胴帯を有する衣服用帯に用いられる帯枕であって、装飾を装着する装飾装着部と、前記装飾装着部を前記胴帯に固定する装飾固定部と、を有することを特徴とする帯枕。
【請求項２】
前記装飾固定部は、前記装飾装着部よりも水平方向の幅が広く形成されており、板状に形成されることを特徴とする請求項１に記載の帯枕。
【請求項３】
前記装飾装着部は、前記装飾固定部に連続しており、水平方向に延びて筒状に形成され、前記胴帯に固定したときに人体の外側を向く周方向の一部を切り欠いて形成される第１の装飾装着部を有することを特徴とする請求項１または請求項２に記載の帯枕。
【請求項４】
前記第１の装飾装着部は、前記胴帯に固定したときに人体側を向く面から、前記切り欠きにより形成された端部側にいくにしたがって、厚みが漸次薄くなるように形成されることを特徴とする請求項３に記載の帯枕。
【請求項５】
前記第１の装飾装着部は、前記胴帯に固定したときに人体側を向く面に、複数の貫通孔を有することを特徴とする請求項３または請求項４に記載の帯枕。
【請求項６】
前記第１の装飾装着部の上方に、前記第１の装飾装着部よりも水平方向の幅が狭く、他の装飾を装着する第２の装飾装着部を設けたことを特徴とする請求項３乃至請求項５のうちいずれか一項に記載の帯枕。
【請求項７】
前記第２の装飾装着部は、水平方向に延びて筒状に形成され、前記胴帯に固定したときに人体の外側を向く周方向の一部を切り欠いてなることを特徴とする請求項６に記載の帯枕。
【請求項８】
前記第２の装飾装着部は、前記胴帯に固定したときに人体側を向く面から、前記切り欠きにより形成された端部側にいくにしたがって、厚みが漸次薄くなるように形成されることを特徴とする請求項６または請求項７に記載の帯枕。
【請求項９】
前記第２の装飾装着部は、前記胴帯に固定したときに人体側を向く面又は上面の少なくとも一方の面に、複数の貫通孔を有することを特徴とする請求項６乃至請求項８のうちいずれか一項に記載の帯枕。
【請求項１０】
前記装飾固定部は、前記第１の装飾装着部よりも水平方向の幅が狭い第１の開口部を有することを特徴とする請求項３乃至請求項９のうちいずれか一項に記載の帯枕。
【請求項１１】
前記第１の開口部の上端位置は、前記第１の装飾装着部の下端位置から所定の間隔をおいて設定されることを特徴とする請求項１０に記載の帯枕。
【請求項１２】
前記第１の開口部の上部に第２の開口部を設け、前記第２の開口部は、前記第１の開口部よりも水平方向の幅を大きく設定したことを特徴とする請求項１０または請求項１１に記載の帯枕。
【請求項１３】
前記装飾固定部は、前記胴帯に固定したときに人体の外側を向く面の下部であって、前記装飾固定部の水平方向の幅の中央部に、突起部を有することを特徴とする請求項１乃至請求項１２のうちいずれか一項に記載の帯枕。
【請求項１４】
前記装飾固定部の上端の前記装飾装着部の下方と連接する部分に切欠きを設けたことを特徴とする請求項１乃至請求項１３のうちいずれか一項に記載の帯枕。
【請求項１５】
前記装飾固定部は、上部から下部へ向けて厚みが漸次薄く形成され、中央部から両端側へ向けて厚みが漸次薄く形成されることを特徴とする請求項１乃至請求項１４のうちいずれか一項に記載の帯枕。  
【発明の詳細な説明】
【技術分野】
【０００１】本発明は、帯枕に関し、特に、様々な装飾を容易に施すことができ、かつ、容易に装着可能で、装着感にも優れた帯枕に関する。
【背景技術】
【０００２】  従来から様々な形態の衣服用帯が提案されており、近年は各種の模様や装飾が施された帯が好まれるようになっている。例えば特許文献１または特許文献２においては、絵柄が施された帯が提案されており、特許文献３においては、帯に取り付ける装飾が提案されている。
【先行技術文献】
【特許文献】
【０００３】
【特許文献１】特開平１１−１３１３１２号公報
【特許文献２】特開２０１４−１５６６８４号公報
【特許文献３】特開２００６−１３２０６１号公報
【発明の概要】
【発明が解決しようとする課題】
【０００４】  ところで、近年は、和服の需要が非常に多くなっており、特に若者や外国人の間でその需要が広がる等嗜好も多様化している。このため従来にない斬新なアイデアの和服の提供が求められており、特に様々な装飾を容易に施すことができ、かつ、容易に装着が可能で、装着感にも優れた帯の開発が求められていた。【０００５】本発明はこのような事情に鑑みてなされたものであり、様々な装飾を容易に施すことができ、かつ、容易に装着が可能で、装着感にも優れた帯枕を提供することを目的とする。
【課題を解決するための手段】
【０００６】  上記目的を達成するために、帯枕に係る請求項１の発明は、人体の胴部に巻き付けられる胴帯を有する衣服用帯に用いられる帯枕であって、装飾を装着する装飾装着部と、装飾装着部を胴帯に固定する装飾固定部と、を有することを特徴とする。【０００７】本発明によれば、装飾を装着する装飾装着部と、装飾装着部を胴帯に固定する装飾固定部と、を有することとしたので、様々な装飾を容易に施すことができる。【０００８】装飾固定部は、装飾装着部よりも水平方向の幅が広く形成されており、板状に形成されることとすれば、様々な装飾を更に容易に施すことができ、強度も確保できる（請求項２）。【０００９】  装飾装着部は、装飾固定部に連続しており、水平方向に延びて筒状に形成され、胴帯に固定したときに人体の外側を向く周方向の一部を切り欠いて形成される第１の装飾装着部を有することとすれば、筒状の中空部内に、切り欠き部分から差し込むことにより様々な装飾を容易に施すことができる。また、切り欠き部分が人体の外側を向くため、胴帯に固定後の位置の修正も容易である（請求項３）。【００１０】  第１の装飾装着部は、同帯に固定したときに人体側を向く面から、切り欠きにより形成された端部側にいくにしたがって、厚みが漸次薄くなるように形成されることで、装飾を保持する強度を維持しながらも適度に変形し、装飾の差し込みが容易になる（請求項４）。【００１１】  第１の装飾装着部は、胴帯に固定したときに人体側を向く面に、複数の貫通孔を有することとすれば、筒状部分に挿入した装飾を、貫通孔を利用して紐で固定することができ、装飾を安定させることができる（請求項５）。【００１２】  第１の装飾装着部の上方に、第１の装飾装着部よりも水平方向の幅が狭く、他の装飾を装着する第２の装飾装着部を設けることとすれば、更に多くの装飾を装着することができる（請求項６）。【００１３】  第２の装飾装着部は、水平方向に延びて筒状に形成され、胴帯に固定したときに人体の外側を向く周方向の一部を切り欠いてなることとすれば、筒状の中空部内に、切り欠き部分から差し込むことにより様々な装飾を容易に施すことができる。また、切り欠き部分が人体の外側を向いているため、胴帯に固定後の位置の修正も容易である（請求項７）。【００１４】  第２の装飾装着部は、胴帯に固定したときに人体側を向く面から、切り欠きにより形成された端部側にいくにしたがって、厚みが漸次薄くなるように形成されることとすれば、装飾を保持する強度を維持しながらも適度に変形し、装飾の差し込みが容易になる（請求項８）。【００１５】第２の装飾装着部は、胴帯に固定したときに人体側を向く面又は上面の少なくとも一方の面に、複数の貫通孔を有することで、筒状部分に挿入した装飾を、貫通孔を利用して紐で固定することができ、装飾を安定させることができる（請求項９）。【００１６】  装飾固定部は、第１の装飾装着部よりも水平方向の幅が狭い第１の開口部を有することで、通気性を確保して蒸れを防止し、快適な装着感を得ることができる。また、第１の開口部の水平方向の幅を、第１の装飾装着部よりも狭くすることで、強度の維持も可能となる（請求項１０）。【００１７】  第１の開口部の上端位置は、第１の装飾装着部の下端位置から所定の間隔をおいて設定されることで、強度を確保することができる（請求項１１）。【００１８】第１の開口部の上部に第２の開口部を設け、第２の開口部は、第１の開口部よりも水平方向の幅を大きく設定することとすれば、装飾装着部に巻き付ける幅広の装飾布部材などを容易に開口部に通すことができる（請求項１２）。【００１９】  装飾固定部は、胴帯に固定したときに人体の外側を向く面の下部であって、装飾固定部の水平方向の幅の中央部に、突起部を有するので、人体の後ろ側に回した装飾が真後ろにきているか、指で触ることで位置を確認することができる（請求項１３）。【００２０】装飾固定部の上端の装飾装着部の下方と連接する部分に切欠きを設けたことで、装飾装着部に巻き付ける装飾布部材などを引っ掛けることができ、強度を維持しつつ装飾のバリエーションを広げることができる（請求項１４）。【００２１】  装飾固定部は、上部から下部へ向けて厚みが漸次薄く形成され、中央部から両端側へ向けて厚みが漸次薄く形成されることで、強度を維持しながらも適度に変形し、胴帯へのスムースな装着が可能となる（請求項１５）。
【発明の効果】
【００２２】  本発明によれば、様々な装飾を容易に施すことができ、かつ、容易に装着が可能で、装着感にも優れる。
【図面の簡単な説明】
【００２３】
【図１】本発明の第１実施形態に係る帯枕を用いた衣服用帯の全体構成を示す背面図である。
【図２】前記衣服用帯の胴帯の構成を示す平面図である。
【図３】前記衣服用帯の胴帯の形成方法を説明するための模式図である。
【図４】前記胴帯の構成を示す図であり、（ａ）は帯板及び弾性体を胴帯の収納部に収納した状態を示す平面図、（ｂ）は帯板及び弾性体を胴帯の収納部から取り外した状態を示す平面図である。
【図５】前記弾性体を説明するための図であり、（ａ）は弾性体の構造を示す側面図、（ｂ）は保冷剤を示す平面図である。
【図６】前記胴帯の装着方法を説明するための斜視図であり、（ａ）は胴帯を胴部に回しかけた状態を示す図、（ｂ）は胴帯の両端側を重ね合わせた状態を示す図、（ｃ）は第１の面ファスナーと第２の面ファスナーを係合して胴帯を装着した状態を示す図である。
【図７】前記衣服用帯の帯枕の構成を示す図であり、（ａ）は正面図、（ｂ）は側面図、（ｃ）は平面図である。
【図８】前記帯枕の構成を示す背面図である。
【図９】前記帯枕の第１の装飾装着部を利用した装飾の組み立て方法を示す図であり、（ａ）は貫通孔と溝を利用して装飾を固定した状態を示す正面図、（ｂ）は第１の装飾装着部を人体側に固定するための紐を長孔に挿通した状態及び装飾補助具で第１の装飾装着部を覆う状態を示す正面図である。
【図１０】前記装飾補助具を示す図であり、（ａ）は平面図、（ｂ）は装飾補助具を前記帯枕に装着した状態を示す側面図である。
【図１１】前記衣服用帯の装着方法を説明するための側面図である。
【図１２】前記衣服用帯の装着方法を説明するための図１１に続く側面図である。
【図１３】前記衣服用帯の装着方法を説明するための図１２に続く側面図である。
【図１４】本発明の第２実施形態に係る衣服用帯の胴帯の全体構成を示す平面図である。
【図１５】前記胴帯を装着した衣服用帯の全体構成を示す背面図である。
【図１６】本発明の第３実施形態に係る衣服用帯の帯枕の構成を示す図であり、（ａ）は正面図、（ｂ）は側面図、（ｃ）は平面図である。
【図１７】前記帯枕の構成を示す背面図である。
【図１８】前記帯枕に装飾を施した状態の衣服用帯の全体構成を示す背面図である。
【図１９】本発明の第４実施形態に係る帯枕の構成を示す図である。
【図２０】本発明の帯板の変形例を示す平面図である。
【発明を実施するための形態】
【００２４】  以下、本発明の第１実施形態乃至第４実施形態について図面を参照して詳細に説明する。なお、以下の説明においては、人体を基準として高さ方向、水平方向を定義し、人体の上方側を上方、下方側を下方、側方側を側方、人体に衣服用帯を装着したときの人体側を内側（人体側を向く側）、反対側すなわち人体の外側を外側、人体の前側を前側、人体の後側を後側または背部として説明するものとする。また、本発明において、帯枕とは、胴帯における人体の背部相当位置に装着される器具であって、以下に説明するように、本実施形態にあっては、人体の背部相当位置に装着され胴帯に装飾を施すために用いられる。
【００２５】［第１実施形態］  図１は、本発明の第１実施形態に係る帯枕を用いた衣服用帯の全体構成を示す背面図である。同図を参照して本発明の衣服用帯の概要を説明すると、衣服用帯１は、主に和服等の衣服に用いられ、人体の胴部１０ａに巻き付けられる胴帯１０と、胴帯１０における人体の背部相当位置に装着される帯枕１００と、帯枕１００を介して胴帯１０に装着され胴帯１０と別体として形成される装飾２００と、を有している。
【００２６】  胴帯１０は、図２に示すように、長尺な矩形状より詳しくは長方形状をなしており、その表面１４ａ側には線状部材２０，３０が長手方向に沿って延びるように設けられている。  線状部材２０，３０は、針金状の部材より詳しくは細長い線状の部材で形成されており、プラスチック製としている。線状部材２０，３０は、所定の長さを有し、胴帯１０の上部の縁部１５および胴帯１０の高さ方向の中間部にそれぞれ設けられており、胴帯１０の表面１４ａ側において物品４０を引っ掛け可能に設けられている。
【００２７】  胴帯１０は、線状部材２０，３０の位置を固定する位置固定部２１，３１を有しており、位置固定部２１，３１は、胴帯１０の表面１４ａ側の複数個所に所定の間隔をおいて設けられる。隣り合う位置固定部２１，３１間においては、線状部材２０，３０と胴帯１０とは非固定状態となっており離間可能な離間部２２，３２となっている。複数の位置固定部２１，３１は、高さ方向の位置を一定に設けられている。
【００２８】  胴帯１０は、線状部材２０，３０をその表面１４ａ側から覆い隠す布材料または紙材料で形成された被覆部２３，３３を有している。被覆部２３，３３は、胴帯１０の上部の縁部１５に設けられる線状部材２０を被覆する第１の被覆部２３と、胴帯１０の高さ方向の中間部に設けられる線状部材３０を被覆する第２の被覆部３３を有している。被覆部２３，３３は、胴帯１０を形成する一枚の帯状の材料１１を外側および内側に折り込んで形成される谷部２４，３４に設定されている。一枚の帯状の材料１１は布材料または紙材料としている。
【００２９】なお、線状部材２０，３０、位置固定部２１，３１、および離間部２２，３２は、胴帯１０を人体の胴部１０ａに巻き付けたときに胴部１０ａの側方から前方側に位置するように、胴帯１０の一方の側端１２から中間位置（胴帯１０の２／３程度の長さ位置）に設けられている。
【００３０】  ここで、被覆部２３，３３の形成方法および胴帯１０の形成方法を説明すると次のようになる。
【００３１】  すなわち、図３に示すように、まず胴帯１０を形成する帯状の材料１１を用意し（図３（ａ））、帯状の材料１１の上部の縁部１５から下方側を前方側（外側）に折り込むことにより谷部２４を設定し、この谷部２４を第１の被覆部２３とする（図３（ｂ））。次いで、帯状の材料１１を所定の長さＬを残しながら更に後方側（内側）に折り込む（図３（ｃ））。このように帯状の材料１１を更に後方側（内側）に折り込むことにより、Ｖ字状の谷部２４を形成する一対の帯片２４ａ，２４ｂのいずれもが最外部にある帯状の材料１１ａの内側に隠れた状態となる。
【００３２】  更に胴帯１０の高さ方向の中間部を後方側（内側）に折り込むとともに（図３（ｄ））、後方側（内側）に折り込んだ部分を所定の長さＭを残しながら更に前方側（外側）に折り込むことにより谷部３４を設定し、この谷部３４を第２の被覆部３３とする（図３（ｅ））。上記と同様に、帯状の材料１１を更に後方側（内側）に折り込むことにより、Ｖ字状の谷部３４を形成する一対の帯片３４ａ，３４ｂのいずれもが最外部にある帯状の材料１１ａの後方側（内側）に隠れた状態となる。
【００３３】  このように形成された谷部２４，３４に、線状部材２０，３０を敷設し（図３（ｆ））、該敷設した状態で谷部２４の一対の帯片２４ａ，２４ｂの上端部，谷部３４の一対の帯片３４ａ，３４ｂの下端部を長手方向に一定の間隔で閉塞するように位置固定部２１，３１を形成する。位置固定部２１，３１は、谷部２４，３４の帯片２４ａ，２４ｂ，３４ａ，３４ｂを糸により裁縫して縫い合わせるようにして形成される（図３（ｇ））。上記の如く、隣り合う位置固定部２１，３１間においては、線状部材２０，３０と胴帯１０とが離間可能な離間部２２，３２が形成されており、この離間部２２，３２において物品４０が線状部材２０，３０に引っ掛けられる。なお、位置固定部２１，３１においては、帯片２４ａ，２４ｂ，３４ａ，３４ｃが糸で縫い合わされるのみで、線状部材２０，３０は、帯片２４ａ，２４ｂ，３４ａ，３４ｃに固着されていない。このため、線状部材２０，３０を、被覆部２３，３３から引っ張り出すように露出させながら物品４０を引っ掛けることができる。位置固定部２１，３１における糸が縫い合わされる位置は、線状部材２０の上方側および線状部材３０の下方側であり、線状部材２０，３０は、Ｖ字状の谷部２４，３４を形成する帯片２４ａ，２４ｂ，３４ａ，３４ｃと糸により内包されるように固定される。
【００３４】  物品４０は、フック部４１と装飾部４２からなり、フック部４１を線状部材２０，３０に引っ掛けるとともに、装飾部４２を被覆部２３，３３から露出させて胴帯１０の装飾を行う（図３（ｈ））。なお、谷部２４，３４は、該谷部２４，３４を形成する帯片２４ａ，２４ｂ，３４ａ，３４ｂのいずれもが最外部にある帯状の材料１１ａの内側に隠れた状態となるので帯片２４ａ，２４ｂ，３４ａ，３４ｂを裁縫して縫い合わせたときに、縫い目も最外部にある帯状の材料１１ａから隠された状態となり美観を損なうことがない。
【００３５】  胴帯１０の表面１４ａ側には、上述したように線状部材２０，３０が設けられるが、その一方で、胴帯１０の裏面１４ｂ側には、図４（ａ）及び（ｂ）に示すように、胴帯１０の長手方向に沿って延在する帯板６０が装着される。帯板６０は、胴帯１０の両方の側端１２，１３から突出しない長さに設定されている。
【００３６】  胴帯１０の裏面１４ｂの両端より詳しくは両側端側には、帯板６０の両端より詳しくは側端６４，６６側を収納する収納部５０，５２が設けられている。一方の収納部５０は、胴帯１０の長手方向に所定の長さを有するとともに、両方の端部５０ａ，５０ｂが開口している。他方の収納部５２も、胴帯１０の長手方向に所定の長さを有するとともに、両方の端部５２ａ，５２ｂが開口している。収納部５０，５２は、例えば、ガーゼ素材やメッシュ素材などの通気性を有する素材により形成される。
【００３７】  以上のような構成の帯板６０は、側端６４を収納部５０に挿入し、他方の側端６６を他方の収納部５２に挿入することで、胴帯１０に装着される。このように、帯板６０を胴帯１０の長手方向に沿って、側端１２，１３から突出しない程度の長さに設定することで、胴帯１０の全体的な形状保持が可能となり見栄えがよい。また、各収納部５０，５２の外側の端部５０ｂ，５２ａを開口させているので、外側の端部５０ｂ，５２ａ側からも帯板６０の位置調節が可能である。なお、帯板６０の角部は湾曲状に形成されており、人体に装着するときに人体を傷つけることのないように安全面に配慮されている。
【００３８】  図５（ａ）に示す弾性体８０は、収納部５０，５２に収納可能とされるもので、例えば、スポンジのように多数の通気孔を有する素材により形成される。弾性体８０は、胴帯１０の長手方向に所定の長さを有しており、かつ、収納部５０，５２に収納可能な長さに設定される。弾性体８０は、上面（人体側を向く表面）８１に複数の突部８４を設けることで、表面８１が凹凸面に形成される。また、弾性体８０の両端部側には、上面８１から底面８２にかけて傾斜面（ないしテーパー面）８６，８８が形成される。傾斜面８６，８８を設けることで、両端側の厚さが上面８１から底面８２にいくにしたがって薄くなるので、収納部５０，５２に収納しやすい。
【００３９】  一般的に、着物の帯は、寸胴のほうが着崩れせず見栄えがよいといわれており、ウエストや腰にくびれがあると帯を締めるときに、着崩れしやすく見栄えがよくない。本発明では、弾性体８０を胴帯１０に装着することで、ウエストや腰にくびれがある場合であっても、くびれ部分に弾性体８０が入り込み、胴部１０ａを寸胴に補正することができる。
【００４０】  弾性体８０は、図５（ａ）に示すように、厚み方向の中間の位置に、切り込み９０が水平方向に形成されている。切り込み９０は、図５（ｂ）に示す保冷剤９２を収納するものである。そして、冷やした又は凍らせた保冷剤９２を切り込み９０に収納して、弾性体８０を収納部５０，５２に収納した状態で胴帯１０を巻くと、長時間着用していても、適度に温度を下げて蒸れなどを防止することができる。
【００４１】  図４に戻り、胴帯１０を長さ調節可能に、胴部１０ａに装着するための着脱手段について説明する。本実施形態では、胴帯１０は、人体の胴部１０ａに巻き付けたときに、両端部１２，１３側の上端および下端が相互に重なり合うように平行に巻き付けられ、重なり合う部分の長さを調整することにより、長さ調節可能に形成される。
【００４２】より詳しくは、胴帯１０は、人体の胴部１０ａに巻き付けたときに重なり合う部分に設けた面ファスナーを用いることで、長さ調節可能に着脱可能となっている。具体的には、胴帯１０の長手方向の一方の側端部１３側における裏面１４ｂ側の上部より詳しくは上部の縁部１５と下部より詳しくは下部の縁部１６において長手方向に沿って所定の長さで設けられた面ファスナー５８（第１の面ファスナー）と、胴帯１０の裏面１４ｂ側の他方の側端部１２側における上端と下端からそれぞれ上方と下方に張り出した張り出し部５４と、張り出し部５４の裏面側に設けられた面ファスナー５６（第２の面ファスナー）により構成される。
【００４３】  面ファスナー５８は、収納部５０の上下に、収納部５０と略同じ長さで設けられている。また、張り出し部５４は、上端と下端の側端１２寄りの位置に、それぞれ所定の間隔で複数より詳しくは２ヶ所設けられている。張り出し部５４には、それぞれ面ファスナー５８と相互に脱着可能な面ファスナー５６（第２の面ファスナー）が設けられている。
【００４４】  このように構成された胴帯１０の着脱方法を、図６を参照して説明する。なお、胴帯１０には、予め帯板６０を装着し、収納部５０，５２に、弾性体８０を収納しておくものとする。まず、図６（ａ）に示すように、胴帯１０を人体の胴部１０ａに巻き付け、側端１２と側端１３を重ね合わせる（図６（ｂ））。そして、張り出し部５４を、胴帯１０の裏面１４ｂ側に折り返すことにより、面ファスナー５６と５８が係合し、胴帯１０は、胴部１０ａに装着し、環状形成された長さ調節可能な構成とすることができる（図６（ｃ））。このとき、上下の２ヶ所で固定するため、胴帯１０が重なり合う部分において、上下位置がずれることがなく平行な形状保持ができる。
【００４５】  次に、帯枕１００について説明する。帯枕１００は、衣服用帯１に用いられ、図１に示すように、装飾２００を胴帯１０に装着するものであって、図７及び図８に示すように、装飾２００を装着する装飾装着部（第１の装飾装着部）１４０と、装飾装着部１４０を胴帯１０に固定する装飾固定部１１０とを有している。装飾固定部１１０は、装飾装着部１４０よりも水平方向の幅が広く形成されており、装飾の保持に必要な強度を確保している。
【００４６】  装飾固定部１１０は、矩形状より詳しくは横長の長方形の下方の角を落とした形状であり、上端部１１２、下端部１１４、側端部１１５ａ及び１１５ｂ、傾斜部１１６を備えている。傾斜部１１６を有することで、下側の水平方向の幅が狭くなるため、人体の胴部１０ａと胴帯１０との間に差し込んで装着しやすい。
【００４７】  また、装飾固定部１１０は、中央部に開口部１２０を有している。開口部１２０は、装飾装着部１４０よりも水平方向の幅が狭い第１の開口部１２２を有しており、通気性を確保して蒸れを防止し、快適な装着状態を得る。第１の開口部１２２は、両側部の下端１２３から底部の両端１２４側へかけて傾斜部１２６を有している。すなわち、装飾固定部１１０と同様の外形形状を有している。第１の開口部２２の幅を、装飾装着部１４０の水平方向の幅よりも狭くすることで、強度の維持も可能となる。
【００４８】  第１の開口部１２２の上端位置には、装飾装着部１４０の下端位置から所定の間隔をおいて、第２の開口部１３０が設けられている。第２の開口部１３０は、第１の開口部１２２および装飾装着部１４０よりも水平方向の幅が大きく設定されており、装飾装着部１４０に巻き付ける幅広の装飾布などを容易に開口部１２０に通せるようにするためのものである。また、装飾固定部１１０は、胴帯１０に固定したときに人体の外側を向く面の下部であって、装飾固定部１１０の水平方向の幅の中央部に、突起部１６０を有する。突起部１６０を設けることで、人体の後ろ側に回した装飾２００が、真後ろにきているか、指で突起部１６０を触ることで確認が可能である。
【００４９】  また、装飾固定部１１０は、上端部１１２から下端部１１４へ向けて厚みが漸次薄く形成され（図７（ｂ））、幅方向の中央部から両側端部１１５ａ，１１５ｂ側へ向けて厚みが漸次薄く形成されている（図７（ｃ））。このように厚みを上から下へ、中央部から側端部へ向けて漸次薄くすることにより、強度を維持しながらも適度に変形し、胴帯１０へのスムースな装着が可能となる。
【００５０】  装飾装着部１４０は、装飾固定部１１０に連続しており、水平方向に延びた筒状に形成され、胴帯１０に固定したときに人体の外側を向く周方向の一部を切り欠いた、断面Ｃ字状に形成されている。切り欠きにより形成された２つの端部１４４，１４６の間から、筒状の中空部１４８に、リボンなどの装飾２００を差し込む。これにより容易に様々な装飾を装着することができる。なお、切り欠き部分が人体の外側を向いているため、胴帯１０に固定後の位置の修正も目視により容易に可能である。
【００５１】  装飾装着部１４０は、胴帯１０に固定したときに人体側を向く面１４２から、切り欠きにより形成された両端部１４４，１４６側にいくにしたがって、厚みが漸次薄くなうように形成されている（図７（ｂ））。このような厚み設定とすることで、装飾２００を保持する強度を維持しつつも適度に変形し、切り欠き部分からの装飾２００の差し込みが容易になる。
【００５２】  また、装飾装着部１４０は、胴帯１０に固定したときに人体側を向く面１４２に、複数の貫通孔１５０ａ〜１５０ｆを有している。図７の例では、上下に３つずつ貫通孔が形成されている。人体側を向く面１４２には、これら貫通孔１５０ａ〜１５０ｆを連結する複数の溝部１５２を有している。更に、装飾装着部１４０は、貫通孔１５０ａ〜１５０ｆが設けられる領域の外側の領域において、周方向に延びる長孔（ないしスリット）１５４，１５６を有している。
【００５３】  貫通孔１５０ａ〜１５０ｆは、中空部１４８に挿入した装飾２００を、貫通孔１５０ａ〜１５０ｆを利用して線状のゴム紐１７０（以下単に紐１７０とする）で固定し、装飾２００を安定させることができる（図９（ａ）参照）。図９（ａ）の例では、貫通孔１５０ｂと１５０ｅに紐１７０を通している。なお、紐１７０は、溝１５２に嵌まるため、紐１７０の位置ずれがおこりにくく、装飾装着部１４０の表面から紐１７０が突出しないように、あるいは、突出部分を減らすことができる。むろん、他の貫通孔を利用して装飾２００を固定することを妨げるものではない。
【００５４】  また、長孔１５４，１５６は、例えば、図９（ｂ）に示すように、紐１７２を通すために利用される。装飾２００を取り付けるまえに、事前に長孔１５４，１５６に紐１７２を通しておくことにより、装飾２００が重くても、紐１７２を人体の胴部１０ａに巻き付けて固定することで、装飾装着部１４０が垂れて下向きになるのを防止し、形状を維持することができる。
【００５５】なお、装飾装着部１４０のＣ字状の装飾固定部１１０から連続する下面側は、装飾固定部１１０に対し略直角に設定されている。このため、帯枕１００を胴帯１０に差し込んだときに、装飾装着部１４０の下面側に胴帯１０の上端が当接し装飾装着部１４０の下面側の位置を確実に設定することができる。また、装飾装着部１４０は、図７（ｂ）に示すように人体側に湾曲しており、胴帯１０に固定したときに帯枕１００が人体に沿いやすい。更に、帯枕１００の角部は湾曲状に形成されており、人体に装着するときに人体を傷つけることのないように安全面に配慮している。
【００５６】  次に、図１０も参照して、装飾補助具１８０について説明する。装飾補助具１８０は、装飾装着部１４０の周囲に幅広の装飾布部材１８２を巻き付けるためのものある。図１０（ａ）に示すように、装飾補助具１８０は、幅広の装飾布部材１８２と、その上下両端に設けられた棒状の固定補助具１８４，１８６により構成される。装飾布部材１８２は、少なくとも装飾装着部１４０の水平方向の幅よりも広いものとすることで、一重に巻き付けるだけで、装飾装着部１４０の全体を覆うことができ、装飾装着部１４０の表面が露出せずより装飾性が高まる。
【００５７】  また、固定補助具１８４，１８６は、装着固定部１１０の第２の開口部１３０の水平方向の幅よりも長く設定されており、図１０（ｂ）に示すように、第２の開口部１３０に固定補助具１８４を通したのちは、固定補助具１８４の両端が第１の開口部１２２の縁に係合し、外れることがない。
【００５８】  以上のような構成の帯枕１００を利用して装飾２００を固定するには、まず、図９（ａ）に示すように装飾装着部１４０の中空部１４８にリボンなどの装飾２００を差し込む。そして、装飾２００を装飾装着部１４０に固定するために、紐１７０を複数の貫通孔１５０ａ〜１５０ｆのいずれかに通して留める。また、装飾２００が重い場合には、これらの作業の前に、図９（ｂ）に示すように、事前に長孔１５４，１５６に紐１７２を通しておく。
【００５９】  そして、装飾補助具１８０の一方の固定補助具１８４を第２の開口部１３０に通して装飾固定部１１０に固定補助具１８４の両端を係合させたら、装飾布部材１８２を装飾装着部１４０に回しかける。他方の固定補助具１８６は、固定補助具１８４とは逆方向に第２の開口部１３０に挿入して、固定補助具１８４，１８６と装飾固定部１１０との係合だけて止めるようにしてもよいし、図１０（ｂ）に示すように、固定補助具１８４と固定補助具１８６側の端部を、図示しない面ファスナーなどによって、装飾布部材１８２が弛まないように固定してもよい。
【００６０】  なお、本第１実施形態の帯枕１００は、ポリプロピレン（ＰＰ）樹脂で形成されている。ポリプロピレン（ＰＰ）樹脂は、破損した場合にあっても破損部が鋭利にならない、形状が身体の動きに追従できる柔軟性がある、耐薬品性に優れる等の有利点があり、本第１実施形態の帯枕１００の材料として適する。帯枕１００は、射出成形金型、射出成形簡易金型、注形金型（ゴム型）により一体成型することができる。また、同様の理由により、帯板６０もポロプロピレン（ＰＰ）樹脂で形成してもよい。
【００６１】  以上のように構成された衣服用帯１の装着方法を説明すると次のようになる。  すなわち、図１１に示すように、まず胴帯１０を人体の胴部１０ａに装着する。この胴帯１０の装着は、前後を逆にして行う（この装着方法の詳細は、上記した図６の如く説明される）。また、上述した図９及び図１０に示す手順により、あらかじめ帯枕１００を用いて、装飾２００を固定し、装飾布部材１８２で装飾装着部１４０を覆っておく。
【００６２】  次いで、図１２（ａ）に示すように、人体の胴部１０ａの前部側で帯枕１００を胴帯１０に差し込む。続いて、図１２（ｂ）に示すように、胴帯１０を胴部１０ａ上で半回転させ、帯枕１００が人体の背部相当位置に位置するようになる。このとき、突起部１６０が真後ろにきているか指で触って確認することで、装飾２００自体が左右にずれていないか目視によらず確認することができる。
【００６３】  次に、図１３（ａ）に示すように、離間部２２，３２において、胴帯１０に設けられた線状部材２０，３０に物品４０のフック部４１を引っ掛けて、装飾部４２による胴帯１０の装飾を行う。装飾を終えた状態の衣服用帯１を、人体の正面側から見た状態が図１３（ｂ）に示されている。胴帯１０の内側に設けた弾性体８０が、人体の脇腹付近まで当たるため、体形を寸胴に補正されており、胴帯１０が装着しやすく、着崩れもしにくく、更には見栄えがよい。また胴部１０ａに合わせて弾性体８０が変形するため、着心地もよい。
【００６４】  以上説明したように、本第１実施形態によれば、胴帯１０の表面１４ａ側に線状部材２０，３０を長手方向に沿って設けることとしたので、線状部材２０，３０に物品４０を引っ掛ける等することにより、様々な装飾を容易に施すことができる。
【００６５】また、線状部材２０，３０を胴帯１０の表面１４ａ側から覆い隠す布材料または紙材料で形成された被覆部２３，３３を有することとしたので、線状部材２０，３０を覆い隠すことができ、衣服用帯１の美観を損なうことを防止することができる。
【００６６】  更に、被覆部２３，３３は、一枚の帯状の布材料１１を折り込んで形成される谷部２４，３４に設定されることとしたので、被覆部２３，３３を形成するために格別の材料を要することなく胴帯１０の形成とともに被覆部２３，３３を効率よく形成することができる。
【００６７】また更に、位置固定部２１，３１は、谷部２４，３４を長手方向に一定の間隔で閉塞するように形成されることとしたので、線状部材２０，３０を谷部２４，３４に確実に固定することができるとともに、閉塞した位置固定部２１，３１間において線状部材２０，３０と胴帯１０とを容易に離間した状態とすることができ、線状部材２０，３０に物品４０を容易に引っ掛けることができる。
【００６８】  更にまた、線状部材２０，３０は、針金状の部材とし、針金状の部材は、プラスチック製とすることとしたので、胴帯１０を胴部１０ａに巻き付ける際に線状部材２０，３０が障害となることを少なくすることができる。
【００６９】  更に、胴帯１０の裏面１４ｂに、胴帯１０の長手方向に沿って延在する帯板６０を設けることとしたので、胴帯１０の長手方向全体にわたって、帯の形状を保つことができる。更にまた、帯板６０の両端に収納部５０，５２を設けて、帯板６０の両端を差し込むこととしたので、帯板６０の装着が容易である。また収納部５０，５２ともに両端が開口しているため、どちら側の端部からでも位置調整ができる。更に収納部５０、５２を通気性を有する素材で形成するので、蒸れを防止でき快適に帯を装着することができる。
【００７０】  更に多数の通気孔を有するスポンジ状の弾性体８０を、収納部５０，５２に収納可能としたので、ウエストや腰のくびれの湾曲部分に弾性体８０があたり、帯の装着に適した寸動に胴部１０ａを補正でき、帯を装着したときの見栄えがよく、着崩れもしにくい。弾性体８０は、人体側を向く面に複数の突部８４を有する凹凸形状のため、通気性に優れ、蒸れを防止して快適な装着感が得られるとともに、人体の胴部１０ａに弾性体８０を確実に固定することができる。
【００７１】  更に、弾性体１８０は、両端部に傾斜面８６，８８を有することとしたので、収納部５０，５２に収納しやすい。弾性体８０に保冷剤９２を収納可能な切り込み９０を設けることとしたので、胴帯１０を長時間装着していても適度に装着部分を冷却し、快適な装着感が得られる。
【００７２】  更に、胴帯１０は、長さ調節可能に形成されるため、胴帯１０を人体の胴部１０ａに装着し易くなる。更にまた、胴帯１０は、胴部１０ａに巻き付けたときに重なり合う部分に面ファスナーを有することで、着脱が容易になる。
【００７３】  特に、相互に脱着可能な第１の面ファスナー５６と第２の面ファスナー５８を有し、第１の面ファスナー５８を、胴帯１０の一方の端部１３側における裏面側の上部と下部に、胴帯１０の長手方向に沿って設け、第２の面ファスナー５６を、胴帯１０の他方の端部１２側における上端と下端からそれぞれ上方と下方に張り出す張り出し部５４に設ける。そして、張り出し部５４を胴体１０の裏面１４ｂ側に折り返しして、第１の面ファスナー５８と第２の面ファスナー５６とを係合することとしたので、装着が容易になるとともに、好きな位置で胴帯１０の長さを固定することができる。なお、第２の面ファスナー５６と張り出し部５４を、上端と下端のそれぞれにおいて２ヶ所ずつ設けたので、胴帯１０の重ね合わせ部分の上下の位置がずれることなく、平行な形状保持ができる。
【００７４】  また更に、胴帯１０に装着され、胴帯１０に装飾を装着する帯枕１００を有することとしたので、様々な装飾を容易に施すことができる。更に、帯枕１００は、装飾２００を装着する第１の装飾装着部１４０と、装飾装着部１４０よりも水平方向の幅が広く形成されており第１の装飾装着部１４０を胴帯１０に固定する板状の装飾固定部１１０とを有するため、様々な装飾を更に容易に施すことができる。
【００７５】  また更に、第１の装飾装着部１４０は、装飾固定部１００に連続しており、水平方向に延びて筒状に形成され、胴帯１０に固定したときに人体の外側を向く周方向の一部を切り欠いて形成される第１の装飾装着部１４０を有することとしたので、筒状の中空部内部に、切り欠き部分から差し込むことにより様々な装飾を容易に施すことができる。また、切り欠き部分が人体の外側を向いているため、胴帯１０に固定後の位置の修正も容易である。
【００７６】  更に、第１の装飾装着部１４０は、胴帯１０に固定したときに人体側を向く面から、切り欠きにより形成された端部１４２，１４４側にいくにしたがって、厚みが漸次薄くなるように形成されるので、装飾２００を保持する強度を維持しながらも適度に変形し、装飾２００の差し込みが容易になる。
【００７７】  また、第１の装飾装着部１４０は、胴帯１０に固定したときに人体側を向く面に、複数の貫通孔１５０ａ〜１５０ｆを有するため、筒状部分に挿入した装飾２００を、貫通孔１５０ａ〜１５０ｆを利用して紐１７０で固定することができ、装飾２００を安定させることができる。また、第１の装飾装着部１４０は、胴帯１０に固定したときに人体を向く面１４２に、複数の貫通孔１５０ａ〜１５０ｆを連結する溝部１５２を有するので、貫通孔１５０ａ〜１５０ｆに通した紐１７０などが溝部１５２に嵌まり、紐１７０の位置ずれがおこらず、装飾装着部１４０の表面からの突出量を減らすことができる。
【００７８】  また更に、第１の装飾装着部１４０は、貫通孔１５０ａ〜１５０ｆが設けられる領域の外側の領域において、周方向に延びる長孔１５４，１５６を有するため、長孔１５４，１５６に紐１７２などを通して人体の胴部１０ａに巻き付けて固定することができる。このため、装飾２００が重くても、第１の装飾装着部１４０が垂れて下向きになるのを防止し、形状を維持することができる。
【００７９】  更に、装飾固定部１１０は、第１の装飾装着部１４０よりも水平方向の幅が狭い第１の開口部１２２を有することで、通気性を確保して蒸れを防止し、快適な装着感を得ることができる。また、第１の開口部１２２の水平方向の幅を、第１の装飾装着部１４０よりも狭くすることで、強度の維持も可能となる。
【００８０】  第１の開口部１２２の上端位置は、第１の装飾装着部１４０の下端位置から所定の間隔をおいて設定されるので、強度を確保することができる。第１の開口部１２２の上部に第２の開口部１３０を設け、第２の開口部１３０は、第１の開口部１２２よりも水平方向の幅が大きいため、装飾装着部１４０の表面に巻き付ける幅広の装飾布部材１８２などを容易に開口部１３０に通すことができる。
【００８１】  更に、装飾固定部１１０は、胴帯１０に固定したときに人体の外側を向く面の下部であって、装飾固定部１１０の水平方向の幅の中央部に、突起部１６０を有するので、人体の後ろ側に回した装飾２００が真後ろにきているか、指で触ることで確認することができる。
【００８２】  また更に、装飾固定部１１０は、上部から下部へ向けて厚みが漸次薄く形成され、中央部から両端側へ向けて厚みが漸次薄く形成されることで、強度を維持しながらも適度に変形し、胴帯１０へのスムーズな装着が可能となる。更に、第１の装飾装着部１４０よりも水平方向の幅が広く、装飾装着部１４０の表面に巻き付け可能な装飾布部材１８２を有することで、装飾装着部１４０の表面が露出せず、より装飾性を高めることができる。
【００８３】  装飾補助具１８０は、装飾布部材１８２を装飾固定部１１０に固定するための固定補助部材１８４，１８６を有するため、装飾布部材１８２の固定が容易になる。装飾装着部１４０及び装着固定部１１０が、ポリプロピレン樹脂により形成されるため、強度を維持しつつ、装着するときに必要な適度な柔軟性を確保することができる。
【００８４】［第２実施形態］  次に本発明の第２実施形態について図１４および図１５を参照して詳細に説明する。なお、本第２実施形態においては、上述した第１実施形態と同一の符号が付された構成については同一の構成であるとしてその説明を省略することがあるものとする。また第１実施形態と同様の構成についてもその説明を省略することがあるものとする。
【００８５】  本第２実施形態における衣服用帯２は、胴帯を変更した構成を示しており、より詳しくは、胴帯１０´に設けられる線状部材２０´，３０´を針金状の部材より詳しくはプラスチック製の部材とするとともに、発光可能にまたは蛍光可能に形成した構成を示している。
【００８６】  すなわち、線状部材２０´,３０´は、該線状部材２０´,３０´上にＬＥＤ素子等の発光素子を並べて形成されており、または線状部材２０´，３０´に蛍光材料を施して形成されている。
【００８７】本第２実施形態においては、線状部材２０´，３０´は、発光可能にまたは蛍光可能に形成されることとしたので、斬新な発想の衣服用帯２を提供することができる。
【００８８】  なお、本第２実施形態においては、胴帯１０´は、布材料や紙材料のみならずプラスチック材料を採用することができる。プラスチック材料は、例えば透明樹脂材料を採用することができ、その表面にラテックスプリントやＵＶプリント等により各種のプリントを行い模様を施すこととしても良い。また、プリントされたプラスチックフィルムを胴帯１０の表面１４ａに貼り付けて各種の模様を施すこととしても良い。更に胴帯１０の表面１４ａにＰＰ加工（Ｐｏｌｙ−Ｐｒｏｐｙｌｅｎｅ加工（ポリプロピレン加工））を施したり、各種の電飾を施すこととしても良い。また更に、胴帯１０に液晶を施して各種の画像を映し出すこととしても良い。
【００８９】  本第２実施形態においては、図１４および図１５からも明らかなように胴帯１０´の表面１４ａ側において線状部材２０´,３０´を露出させた構成となっており、線状部材２０´，３０´を被覆する被覆部２３，３３は省略される。
【００９０】［第３実施形態］  次に本発明の第３実施形態について図１６〜図１８を参照して詳細に説明する。なお、本第３実施形態においては、上述した第１実施形態および第２実施形態と同一の符号が付された構成については同一の構成であるとしてその説明を省略することがあるものとする。また第１実施形態および第２実施形態と同様の構成についてもその説明を省略することがあるものとする。
【００９１】  本第３実施形態における衣服用帯３は、帯枕の装飾装着部を２段構成としたものである。本実施形態の帯枕３００は、上述した第１実施形態の帯枕１００の第１の装飾装着部１４０の上部に、板状の中間体３１０を介して第２の装飾装着部３２０が連続した構成となっている。第２の装飾装着部３２０は、第１の装飾装着部１４０よりも水平方向の幅が狭く設定されている。
【００９２】  中間体３１０には、貫通孔３１２ａ，３１２ｂや、長孔３１４ａ，３１４ｂが設けられている。これら貫通孔３１２ａ，３１２ｂや長孔３１４ａ，３１４ｂは、装飾の取り付けや、人体へ回しかけるための紐を通す部分として利用される。
【００９３】  第２の装飾装着部３２０は、水平方向に延びて筒状に形成され、胴帯１０に固定したときに人体の外側を向く周方向の一部を切り欠いた、断面Ｃ字状に形成されている。切り欠きにより形成された２つの端部３２４，３２６の間から、筒状の中空部３２８に差し込むことにより様々な装飾を容易に施すことができる。また、切り欠き部分が人体の外側を向いているため、胴帯１０に固定後の位置の修正も容易である。
【００９４】  装飾装着部３２０は、胴帯１０に固定したときに人体側を向く面３２２から、切り欠きにより形成された両端部３２４，３２６側にいくにしたがって、厚みが漸次薄くなるように形成されている（図１６（ｂ））。このような厚み設定とすることで、装飾３５０（図１８参照）を保持する強度を維持しつつも適度に変形し、切り欠き部分からの装飾３５０の差し込みが容易になる。
【００９５】  また、装飾装着部３２０は、胴帯１０に固定したときに人体側を向く面３２２に、複数の貫通孔３３０ａ〜３３０ｆと、溝部３３２を有している。更に、装飾装着部３２０は、胴帯１０に固定したときの上面にも、複数の貫通孔３４０ａ〜３４０ｆと、これら貫通孔３４０ａ〜３４０ｆを連結する溝部３４２を有している。更に、装飾装着部３２０は、貫通孔３４０ａ〜３４０ｆが設けられる領域の外側の領域において、周方向に延びる長孔（ないしスリット）３４４，３４６を有している。
【００９６】  これら貫通孔３３０ａ〜３３０ｆ及び３４０ａ〜３４０ｆは、上述した第１実施形態と同様に、装飾３５０を固定するための紐１７０を通して利用してもよいし、図１８に示すピンタイプの装飾３６０（生花や造花）を差すために使用してもよい。長孔３４４，３４６も第１実施形態と同様に、人体にまわしかけて固定するための紐１７２を通すようにしてもよいし、装飾３６０を差すために利用してもよい。また、装飾装着部３２０に装飾布部材１８２を巻き付けずに貫通孔３３０ａ〜３３０ｆ及び３４０ａ〜３４０ｆや長孔３４４，３４６に紐１７０，１７２を通したり、装飾３６０を差してもよい（上記した第１実施形態においても同様に装飾装着部１４０に飾布部材１８２を巻き付けずに貫通孔１５０ａ〜１５０ｆ及び１５０ａ〜１５０ｆや長孔１５４，１５６に紐１７０，１７２を通したり、装飾３６０を差してもよい）。
【００９７】  このように本第３実施形態における衣服用帯３は、装飾装着部が２段構成となっているため、より多くの装飾を装着することができる。特に立体的な（３次元的な）装飾を施した帯を容易に作ることができる。その他の基本的な作用・効果は、上述した第１実施形態と同様である。なお、装飾装着部３２０は、図１６（ｂ）に示すように人体側に湾曲しており、胴帯１０に固定したときに帯枕３００が人体に沿いやすい。
【００９８】  ここで、本第３実施形態の帯枕３００は、ポリプロピレン（ＰＰ）樹脂で形成されている。ポリプロピレン（ＰＰ）樹脂は、破損した場合にあっても破損部が鋭利にならない、形状が身体の動きに追従できる柔軟性がある、耐薬品性に優れる等の有利点があり、本実施形態の帯枕３００の材料として適する。帯枕３００は、射出成形金型、射出成形簡易金型、注形金型（ゴム型）により一体成型することができる。なお、帯枕３００の角部は湾曲状に形成されており、人体に装着するときに人体を傷つけることのないように安全面に配慮している。
【００９９】［第４実施形態］  次に本発明の第４実施形態について図１９を参照して説明する。なお、本第４実施形態の説明においては、上述した第１実施形態乃至第３実施形態と同一の符号が付された構成については同一の構成であるとしてその説明を省略することがあるものとする。また第１実施形態乃至第３実施形態と同様の構成についてもその説明を省略することがあるものとする。
【０１００】  本第４実施形態は、帯枕の変形例を示すものである。図１９に示す帯枕４００は、装飾固定部１１０の上端の装飾装着部１４０の下方と連接する部分に水平方向に延びる切り欠き４１２を設けている。より詳しくは、帯枕４００は、装飾固定部１１０の上端部１１２と装飾装着部１４０の下端部１４１が湾曲部４１０によって連接している。そして、この連接する湾曲部分４１０における装飾固定部１１０の上端に、水平方向の切り欠き４１２を設けている。すなわち、図１９（ｂ）に示すように、装飾装着部１４０に巻き付ける装飾布部材１８２の固定補助具１８４ａ，１８６ｂをゴム状または紐状とし、切り欠き４１２は、例えば、装飾布部材１８２の固定補助具１８４ａ，１８６ａなどを引っ掛け可能としたり、紐状ないしチェーン状の他の装飾などをかけることもできるため、装飾の幅が広がる。また、装飾固定部１１０の上端の連接する部分に水平方向に形成したので、強度も維持することができる。
【０１０１】  ここで、本第４実施形態の帯枕４００，４００´は、ポリプロピレン（ＰＰ）樹脂で形成されている。ポリプロピレン（ＰＰ）樹脂は、破損した場合にあっても破損部が鋭利にならない、形状が身体の動きに追従できる柔軟性がある、耐薬品性に優れる等の有利点があり、本実施形態の帯枕４００，４００´の材料として適する。帯枕４００，４００´は、射出成形金型、射出成形簡易金型、注形金型（ゴム型）により一体成型することができる。
【０１０２】  なお、本発明は上述した実施形態に限定されず特許請求の範囲を逸脱しない範囲内で種々の変形実施および応用実施が可能であることは勿論である。  例えば、上述した実施形態にあっては、第２の装飾装着部３２０は、胴帯１０に固定したときに人体側を向く面および上面のいずれにも、複数の貫通孔３３０ａ〜３３０ｆを有することとしているが、胴帯１０に固定したときに人体側を向く面又は上面の少なくとも一方の面に、複数の貫通孔３３０ａ〜３３０ｆを有することとしても所要の効果を奏する。
【０１０３】また、図２０に示すように、帯板６０に多数の貫通孔６７を有することとして、通気性を確保することとしてもよい。
【産業上の利用可能性】
【０１０４】  本発明は、様々な装飾を容易に施すことができる帯枕を提供し、帯の新たな需要を喚起し関係業界の発展に大きく寄与する。
【符号の説明】
【０１０５】１：衣服用帯２：衣服用帯３：衣服用帯１０，１０´：胴帯１０ａ：胴部１１：帯状の布材料１１ａ：最外部にある帯状の材料１２，１３：側端１４ａ：表面１４ｂ：裏面１５：上部の縁部１６：下部の縁部２０，３０：線状部材２０´，３０´：線状部材２１，３１：位置固定部２２，３２：離間部２３，３３：被覆部２４，３４：谷部２４ａ，２４ｂ：帯片３４ａ，３４ｂ：帯片４０：物品４１：フック部４２：装飾部５０，５２：収納部５０ａ，５０ｂ，５２ａ，５２ｂ：端部５４：張り出し部５６：第２の面ファスナー５８：第１の面ファスナー６０：帯板６２：貫通孔６４，６６：側端６７：貫通孔６８，７０：傾斜部８０：弾性体８１：上面８２：底面８４：突部８６，８８：傾斜面９０：切り込み９２：保冷剤１００：帯枕１１０：装飾固定部１１２：上端１１４：下端１１５ａ，１１５ｂ：側端１１６：傾斜部１２０：開口部１２２：第１の開口部１２３：側部の下端１２４：底部の下端１２５：側端１２６：傾斜部１３０：第２の開口部１４０：装飾装着部（第１の装飾装着部）１４１：下端部１４２：面１４４，１４６：端部１４８：中空部１５０ａ〜１５０ｆ：貫通孔１５２：溝部１５４，１５６：長孔１６０：突起部１７０：線状のゴム紐１７２：紐１８０：装飾補助具１８２：装飾布部材１８４，１８６：固定補助具２００：装飾３００：帯枕３１０：中間体３１２ａ，３１２ｂ：貫通孔３１４ａ，３１４ｂ：長孔３２０：装飾装着部（第２の装飾装着部）３２２：面３２４，３２６：端部３２８：中空部３３０ａ〜３３０ｆ：貫通孔３３２：溝部３４０ａ〜３４０ｆ：貫通孔３４２：溝部３４４，３４６：長孔３５０，３６０：装飾４００，４００´：帯枕４１０：湾曲部４１２，４１４：スリット
【図１】
2018074385.tif 000003
【図２】
2018074385.tif 000004
【図３】
2018074385.tif 000005
【図４】
2018074385.tif 000006
【図５】
2018074385.tif 000007
【図６】
2018074385.tif 000008
【図７】
2018074385.tif 000009
【図８】
2018074385.tif 000010
【図９】
2018074385.tif 000011
【図１０】
2018074385.tif 000012
【図１１】
2018074385.tif 000013
【図１２】
2018074385.tif 000014
【図１３】
2018074385.tif 000015
【図１４】
2018074385.tif 000016
【図１５】
2018074385.tif 000017
【図１６】
2018074385.tif 000018
【図１７】
2018074385.tif 000019
【図１８】
2018074385.tif 000020
【図１９】
2018074385.tif 000021
【図２０】
2018074385.tif 000022
【手続補正書】
【提出日】平成30年7月2日(2018.7.2)
【手続補正１】
【補正対象書類名】特許請求の範囲
【補正対象項目名】全文
【補正方法】変更
【補正の内容】
【特許請求の範囲】
【請求項１】
人体の胴部に巻き付けられる胴帯を有する衣服用帯に用いられる帯枕であって、
装飾を装着する装飾装着部と、前記装飾装着部を前記胴帯に固定する装飾固定部と、を有し、
前記装飾固定部は、前記装飾装着部よりも水平方向の幅が広く形成されており、板状に形成され、
前記装飾装着部は、前記装飾固定部に連続しており、水平方向に延びて筒状に形成され、前記胴帯に固定したときに人体の外側を向く周方向の一部を切り欠いて形成されることを特徴とする帯枕。
【請求項２】
前記装飾装着部は、前記胴帯に固定したときに人体側を向く面から、前記切り欠きにより形成された端部側にいくにしたがって、厚みが漸次薄くなるように形成されることを特徴とする請求項１に記載の帯枕。
【請求項３】
前記装飾装着部は、前記胴帯に固定したときに人体側を向く面に、複数の貫通孔を有することを特徴とする請求項１または請求項２に記載の帯枕。
【請求項４】
前記装飾固定部は、前記装飾装着部よりも水平方向の幅が狭い第１の開口部を有することを特徴とする請求項１乃至請求項３のうちいずれか一項に記載の帯枕。
【請求項５】
前記第１の開口部の上端位置は、前記装飾装着部の下端位置から所定の間隔をおいて設定されることを特徴とする請求項４に記載の帯枕。
【請求項６】
前記第１の開口部の上部に第２の開口部を設け、前記第２の開口部は、前記第１の開口部よりも水平方向の幅を大きく設定したことを特徴とする請求項４または請求項５に記載の帯枕。
【請求項７】
前記装飾固定部は、前記胴帯に固定したときに人体の外側を向く面の下部であって、前記装飾固定部の水平方向の幅の中央部に、突起部を有することを特徴とする請求項１乃至請求項６のうちいずれか一項に記載の帯枕。
【請求項８】
前記装飾固定部の上端の前記装飾装着部の下方と連接する部分に切欠きを設けたことを特徴とする請求項１乃至請求項７のうちいずれか一項に記載の帯枕。
【請求項９】
前記装飾固定部は、上部から下部へ向けて厚みが漸次薄く形成され、中央部から両端側へ向けて厚みが漸次薄く形成されることを特徴とする請求項１乃至請求項８のうちいずれか一項に記載の帯枕。
【手続補正２】
【補正対象書類名】明細書
【補正対象項目名】０００６
【補正方法】変更
【補正の内容】
【０００６】
上記目的を達成するために、帯枕に係る請求項１の発明は、人体の胴部に巻き付けられる胴帯を有する衣服用帯に用いられる帯枕であって、装飾を装着する装飾装着部と、前記装飾装着部を前記胴帯に固定する装飾固定部と、を有し、  前記装飾固定部は、前記装飾装着部よりも水平方向の幅が広く形成されており、板状に形成され、前記装飾装着部は、前記装飾固定部に連続しており、水平方向に延びて筒状に形成され、前記胴帯に固定したときに人体の外側を向く周方向の一部を切り欠いて形成されることを特徴とする。
【手続補正３】
【補正対象書類名】明細書
【補正対象項目名】０００８
【補正方法】変更
【補正の内容】
【０００８】
また、装飾固定部は、装飾装着部よりも水平方向の幅が広く形成されており、板状に形成されることとしたので、様々な装飾を更に容易に施すことができ、強度も確保できる。
【手続補正４】
【補正対象書類名】明細書
【補正対象項目名】０００９
【補正方法】変更
【補正の内容】
【０００９】
更に、装飾装着部は、装飾固定部に連続しており、水平方向に延びて筒状に形成され、胴帯に固定したときに人体の外側を向く周方向の一部を切り欠いて形成されることとしたので、筒状の中空部内に、切り欠き部分から差し込むことにより様々な装飾を容易に施すことができる。また、切り欠き部分が人体の外側を向くため、胴帯に固定後の位置の修正も容易である。
【手続補正５】
【補正対象書類名】明細書
【補正対象項目名】００１０
【補正方法】変更
【補正の内容】
【００１０】
装飾装着部は、同帯に固定したときに人体側を向く面から、切り欠きにより形成された端部側にいくにしたがって、厚みが漸次薄くなるように形成されることで、装飾を保持する強度を維持しながらも適度に変形し、装飾の差し込みが容易になる（請求項２）。
【手続補正６】
【補正対象書類名】明細書
【補正対象項目名】００１１
【補正方法】変更
【補正の内容】
【００１１】
装飾装着部は、胴帯に固定したときに人体側を向く面に、複数の貫通孔を有することとすれば、筒状部分に挿入した装飾を、貫通孔を利用して紐で固定することができ、装飾を安定させることができる（請求項３）。
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】変更
【補正の内容】
【００１６】
装飾固定部は、装飾装着部よりも水平方向の幅が狭い第１の開口部を有することで、通気性を確保して蒸れを防止し、快適な装着感を得ることができる。また、第１の開口部の水平方向の幅を、装飾装着部よりも狭くすることで、強度の維持も可能となる（請求項４）。
【手続補正１２】
【補正対象書類名】明細書
【補正対象項目名】００１７
【補正方法】変更
【補正の内容】
【００１７】
第１の開口部の上端位置は、装飾装着部の下端位置から所定の間隔をおいて設定されることで、強度を確保することができる（請求項５）。
【手続補正１３】
【補正対象書類名】明細書
【補正対象項目名】００１８
【補正方法】変更
【補正の内容】
【００１８】
第１の開口部の上部に第２の開口部を設け、第２の開口部は、第１の開口部よりも水平方向の幅を大きく設定することとすれば、装飾装着部に巻き付ける幅広の装飾布部材などを容易に開口部に通すことができる（請求項６）。
【手続補正１４】
【補正対象書類名】明細書
【補正対象項目名】００１９
【補正方法】変更
【補正の内容】
【００１９】
装飾固定部は、胴帯に固定したときに人体の外側を向く面の下部であって、装飾固定部の水平方向の幅の中央部に、突起部を有するので、人体の後ろ側に回した装飾が真後ろにきているか、指で触ることで位置を確認することができる（請求項７）。
【手続補正１５】
【補正対象書類名】明細書
【補正対象項目名】００２０
【補正方法】変更
【補正の内容】
【００２０】
装飾固定部の上端の装飾装着部の下方と連接する部分に切欠きを設けたことで、装飾装着部に巻き付ける装飾布部材などを引っ掛けることができ、強度を維持しつつ装飾のバリエーションを広げることができる（請求項８）。
【手続補正１６】
【補正対象書類名】明細書
【補正対象項目名】００２１
【補正方法】変更
【補正の内容】
【００２１】
装飾固定部は、上部から下部へ向けて厚みが漸次薄く形成され、中央部から両端側へ向けて厚みが漸次薄く形成されることで、強度を維持しながらも適度に変形し、胴帯へのスムースな装着が可能となる（請求項９）。
【国際調査報告】
2018074385.tif 000023
2018074385.tif 000024